(57)【要約】【課題】本発明は無線通信システムに関するものである。【解決手段】具体的に、本発明は、ＴＤＤ  ＵＬ−ＤＬ構成を指示するシステム情報を受信する段階、ＭＢＳＦＮ  ＳＦ割当情報を受信する段階、及びＳＦ＃ｎのＴＴＩ構成に基づいて、ＳＦ＃ｎのための信号処理過程を行う段階を含み、ＳＦ＃ｎがノンＭＢＳＦＮ  ＳＦの場合、ＳＦ＃ｎは単一ＴＴＩで構成され、ＳＦ＃ｎがＭＢＳＦＮ  ＳＦの場合、ＳＦ＃ｎはマルチ−ＴＴＩで構成される、方法及びそのための装置に関するものである。【選択図】  図１３
2018520591.tif 000002
【特許請求の範囲】
【請求項１】
無線通信システムにおいて端末が信号処理を行う方法であって、
ＴＤＤ  ＵＬ−ＤＬ構成を指示するシステム情報を受信する段階と、
ＭＢＳＦＮ  ＳＦ割当情報を受信する段階と、
ＳＦ＃ｎのＴＴＩ構成に基づいて、前記ＳＦ＃ｎのための信号処理過程を行う段階と、を含み、
前記ＳＦ＃ｎがノンＭＢＳＦＮ  ＳＦの場合、前記ＳＦ＃ｎは単一ＴＴＩで構成され、前記ＳＦ＃ｎがＭＢＳＦＮ  ＳＦの場合、前記ＳＦ＃ｎはマルチ−ＴＴＩで構成される、方法。
【請求項２】
前記ＳＦ＃ｎがＭＢＳＦＮ  ＳＦの場合、前記ＳＦ＃ｎは前記マルチ−ＴＴＩに対応する一つ以上のＤＬ区間と一つ以上のＵＬ区間を含む、請求項１に記載の方法。
【請求項３】
前記ＳＦ＃ｎがＭＢＳＦＮ  ＳＦの場合、前記ＳＦ＃ｎは前記マルチ−ＴＴＩに対応する複数のＤＬ区間を含む、請求項１に記載の方法。
【請求項４】
前記ＳＦ＃ｎがノンＭＢＳＦＮ  ＳＦの場合、ＴＴＩは１４個のＯＦＤＭＡシンボルで構成され、前記ＳＦ＃ｎがＭＢＳＦＮ  ＳＦの場合、ＴＴＩは３個のＯＦＤＭＡシンボルで構成される、請求項１に記載の方法。
【請求項５】
前記ＳＦ＃ｎがノンＭＢＳＦＮ  ＳＦの場合、ＴＴＩは２個の０．５ｍｓスロットで構成され、前記ＳＦ＃ｎがＭＢＳＦＮ  ＳＦの場合、ＴＴＩは１個の０．５ｍｓスロットで構成される、請求項１に記載の方法。
【請求項６】
無線通信システムに使われる端末であって、
ＲＦユニットと、
プロセッサと、を含み、前記プロセッサは、
ＴＤＤ  ＵＬ−ＤＬ構成を指示するシステム情報を受信し、
ＭＢＳＦＮ  ＳＦ割当情報を受信し、
ＳＦ＃ｎのＴＴＩ構成に基づいて、前記ＳＦ＃ｎのための信号処理過程を行うように構成され、
前記ＳＦ＃ｎがノンＭＢＳＦＮ  ＳＦの場合、前記ＳＦ＃ｎは単一ＴＴＩで構成され、前記ＳＦ＃ｎがＭＢＳＦＮ  ＳＦの場合、前記ＳＦ＃ｎはマルチ−ＴＴＩで構成される、端末。
【請求項７】
前記ＳＦ＃ｎがＭＢＳＦＮ  ＳＦの場合、前記ＳＦ＃ｎは前記マルチ−ＴＴＩに対応する一つ以上のＤＬ区間と一つ以上のＵＬ区間を含む、請求項６に記載の端末。
【請求項８】
前記ＳＦ＃ｎがＭＢＳＦＮ  ＳＦの場合、前記ＳＦ＃ｎは前記マルチ−ＴＴＩに対応する複数のＤＬ区間を含む、請求項６に記載の端末。
【請求項９】
前記ＳＦ＃ｎがノンＭＢＳＦＮ  ＳＦの場合、ＴＴＩは１４個のＯＦＤＭＡシンボルで構成され、前記ＳＦ＃ｎがＭＢＳＦＮ  ＳＦの場合、ＴＴＩは３個のＯＦＤＭＡシンボルで構成される、請求項６に記載の端末。
【請求項１０】
前記ＳＦ＃ｎがノンＭＢＳＦＮ  ＳＦの場合、ＴＴＩは２個の０．５ｍｓスロットで構成され、前記ＳＦ＃ｎがＭＢＳＦＮ  ＳＦの場合、ＴＴＩは１個の０．５ｍｓスロットで構成される、請求項６に記載の端末。
【発明の詳細な説明】
【技術分野】
【０００１】
本発明は無線通信システムに関するもので、より詳しくは信号を送信／受信する方法及び装置に関するものである。無線通信システムはキャリアアグリゲーション（Ｃａｒｒｉｅｒ  Ａｇｇｒｅｇａｔｉｏｎ、ＣＡ）を支援することができる。
【背景技術】
【０００２】
無線通信システムが、音声やデータ等のような多様な種類の通信サービスを提供するために広範囲に展開されている。一般に、無線通信システムは、利用可能なシステムリソース（帯域幅、伝送パワーなど）を共有して多重ユーザとの通信を支援することができる多重アクセス（Ｍｕｌｔｉｐｌｅ  ａｃｃｅｓｓ）システムである。多重アクセスシステムの例としては、ＣＤＭＡ（ｃｏｄｅ  ｄｉｖｉｓｉｏｎ  Ｍｕｌｔｉｐｌｅ  ａｃｃｅｓｓ）システム、ＦＤＭＡ（ｆｒｅｑｕｅｎｃｙ  ｄｉｖｉｓｉｏｎ  Ｍｕｌｔｉｐｌｅ  ａｃｃｅｓｓ）システム、ＴＤＭＡ（ｔｉｍｅ  ｄｉｖｉｓｉｏｎ  Ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  Ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  Ｍｕｌｔｉｐｌｅ  ａｃｃｅｓｓ）システムなどがある。
【発明の概要】
【発明が解決しようとする課題】
【０００３】
本発明の目的は、無線通信システムにおいて信号を効率的に送信／受信する方法及びそのための装置を提供することにある。本発明の他の目的は、上りリンク信号の送信を効率的に制御する方法及びそのための装置を提供することにある。
【０００４】
本発明で達成しようとする技術的課題は、上述した技術的課題に制限されず、言及していない他の技術的課題は、下記の記載から、本発明の属する技術分野における通常の知識を有する者には明確に理解されるであろう。
【課題を解決するための手段】
【０００５】
本発明の一態様において、無線通信システムにおいて端末が信号処理を行う方法であって、ＴＤＤ（Ｔｉｍｅ  Ｄｉｖｉｓｉｏｎ  Ｄｕｐｌｅｘ）ＵＬ−ＤＬ構成（Ｕｐｌｉｎｋ−Ｄｏｗｎｌｉｎｋ  ｃｏｎｆｉｇｕｒａｔｉｏｎ）を指示するシステム情報を受信する段階、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）ＳＦ（ｓｕｂｆｒａｍｅ）割当情報を受信する段階、及びＳＦ＃ｎのＴＴＩ（Ｔｒａｎｓｍｉｓｓｉｏｎ  Ｔｉｍｅ  Ｉｎｔｅｒｖａｌ）構成に基づいて、前記ＳＦ＃ｎのための信号処理過程を行う段階を含み、前記ＳＦ＃ｎがノンＭＢＳＦＮ  ＳＦの場合、前記ＳＦ＃ｎは単一ＴＴＩで構成され、前記ＳＦ＃ｎがＭＢＳＦＮ  ＳＦの場合、前記ＳＦ＃ｎはマルチＴＴＩで構成される方法が提供される。
【０００６】
本発明の他の態様において、無線通信システムに使われる端末であって、ＲＦ（Ｒａｄｉｏ  Ｆｒｅｑｕｅｎｃｙ）ユニット、及びプロセッサを含み、前記プロセッサは、ＴＤＤ（Ｔｉｍｅ  Ｄｉｖｉｓｉｏｎ  Ｄｕｐｌｅｘ）ＵＬ−ＤＬ構成（Ｕｐｌｉｎｋ−Ｄｏｗｎｌｉｎｋ  ｃｏｎｆｉｇｕｒａｔｉｏｎ）を指示するシステム情報を受信し、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）ＳＦ（ｓｕｂｆｒａｍｅ）割当情報を受信し、ＳＦ＃ｎのＴＴＩ（Ｔｒａｎｓｍｉｓｓｉｏｎ  Ｔｉｍｅ  Ｉｎｔｅｒｖａｌ）構成に基づいて、前記ＳＦ＃ｎのための信号処理過程を行うように構成され、前記ＳＦ＃ｎがノンＭＢＳＦＮ  ＳＦの場合、前記ＳＦ＃ｎは単一ＴＴＩで構成され、前記ＳＦ＃ｎがＭＢＳＦＮ  ＳＦの場合、前記ＳＦ＃ｎはマルチＴＴＩで構成される端末が提供される。
【０００７】
好ましくは、前記ＳＦ＃ｎがＭＢＳＦＮ  ＳＦの場合、前記ＳＦ＃ｎは前記マルチＴＴＩに対応する一つ以上のＤＬ区間と一つ以上のＵＬ区間を含むことができる。
【０００８】
好ましくは、前記ＳＦ＃ｎがＭＢＳＦＮ  ＳＦの場合、前記ＳＦ＃ｎは前記マルチＴＴＩに対応する複数のＤＬ区間を含むことができる。
【０００９】
好ましくは、前記ＳＦ＃ｎがノンＭＢＳＦＮ  ＳＦの場合、ＴＴＩは１４個のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボルで構成されることができ、前記ＳＦ＃ｎがＭＢＳＦＮ  ＳＦの場合、ＴＴＩは３個のＯＦＤＭＡシンボルで構成されることができる。
【００１０】
好ましくは、前記ＳＦ＃ｎがノンＭＢＳＦＮ  ＳＦの場合、ＴＴＩは２個の０．５ｍｓスロットで構成されることができ、前記ＳＦ＃ｎがＭＢＳＦＮ  ＳＦの場合、ＴＴＩは１個の０．５ｍｓスロットで構成されることができる。
【発明の効果】
【００１１】
本発明によると、無線通信システムにおいて信号を効率的に送信／受信することができる。また、上りリンク信号の送信を効率的に制御することができる。
【００１２】
本発明で得られる効果は、以上に言及した効果に制限されず、言及していない他の効果は、下記の記載から、本発明の属する技術分野における通常の知識を有する者には明確に理解されるであろう。
【図面の簡単な説明】
【００１３】
本発明に関する理解を助けるために詳細な説明の一部として含まれる添付図面は、本発明に係る実施例を提供し、詳細な説明と共に本発明の技術的思想を説明する。
【００１４】
【図１】無線通信システムの一例である３ＧＰＰ  ＬＴＥシステムに用いられる物理チャネル及びこれを用いた一般的な信号送信方法を例示する図である。
【図２】無線フレーム（ｒａｄｉｏ  ｆｒａｍｅ）の構造を例示する図である。
【図３】ダウンリンクスロットのリソースグリッドを例示する図である。
【図４】ダウンリンクサブフレームの構造を示す図である。
【図５】アップリンクサブフレームの構造を示す図である。
【図６】単一セルの状況でＴＤＤ  ＵＬ  ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）伝送タイミングを示す図である。
【図７】単一セルの状況でＴＤＤ  ＵＬ  ＡＣＫ／ＮＡＣＫ伝送タイミングを示す図である。
【図８】単一セルの状況でＴＤＤ  ＰＵＳＣＨ（Ｐｈｙｓｉｃａｌ  Ｕｐｌｉｎｋ  Ｓｈａｒｅｄ  ＣＨａｎｎｅｌ）伝送タイミングを示す図である。
【図９】単一セルの状況でＴＤＤ  ＰＵＳＣＨ伝送タイミングを示す図である。
【図１０】単一セルの状況でＴＤＤ  ＤＬ  ＡＣＫ／ＮＡＣＫ伝送タイミングを示す図である。
【図１１】単一セルの状況でＴＤＤ  ＤＬ  ＡＣＫ／ＮＡＣＫ伝送タイミングを示す図である。
【図１２】上りリンク−下りリンクフレームタイミングを例示する図である。
【図１３】ＴＤＤシステムにおいてｓｈｏｒｔ  ＤＬ／ＵＬ構成方法を適用した場合を例示する図である。
【図１４】本発明の実施例による信号処理過程を例示する図である。
【図１５】本発明の一実施例に適用可能な基地局及び端末を例示する図である。
【発明を実施するための形態】
【００１５】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  Ｍｕｌｔｉｐｌｅ  ａｃｃｅｓｓ）などのような様々な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術で具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展したバージョンである。説明を明確にするために、３ＧＰＰ  ＬＴＥ／ＬＴＥ−Ａを中心に記述するが、本発明の技術的思想がこれに制限されるものではない。
【００１６】
無線通信システムにおいて、端末は基地局から下りリンク（Ｄｏｗｎｌｉｎｋ、ＤＬ）を介して情報を受信し、端末は基地局に上りリンク（Ｕｐｌｉｎｋ、ＵＬ）を介して情報を送信する。基地局と端末が送受信する情報はデータ及び多様な制御情報を含み、これらが送受信する情報の種類／用途によって多様な物理チャネルが存在する。
【００１７】
図１は３ＧＰＰ  ＬＴＥシステムに用いられる物理チャネル及びこれらを用いた一般的な信号送信方法を説明するための図である。
【００１８】
電源が切れた状態でまた電源が入るとか、あるいは新たにセルに進入した端末は段階Ｓ１０１で基地局と同期を取るなどの初期セル探索（Ｉｎｉｔｉａｌ  ｃｅｌｌ  ｓｅａｒｃｈ）作業を行う。このために、端末は基地局から主同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤ（ｃｅｌｌ  ｉｄｅｎｔｉｔｙ）などの情報を取得する。その後、端末は、基地局から物理放送チャネル（Ｐｈｙｓｉｃａｌ  Ｂｒｏａｄｃａｓｔ  Ｃｈａｎｎｅｌ、ＰＢＣＨ）を受信してセル内放送情報を取得することができる。一方、端末は初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００１９】
初期セル探索を終えた端末は段階Ｓ１０２で物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び物理下りリンク制御チャネル情報による物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信してより具体的なシステム情報を取得することができる。
【００２０】
その後、端末は、基地局への接続を完了するために、段階Ｓ１０３〜段階Ｓ１０６のような任意接続過程（Ｒａｎｄｏｍ  Ａｃｃｅｓｓ  Ｐｒｏｃｅｄｕｒｅ）を行うことができる。このために、端末は、物理任意接続チャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ１０３）、物理下りリンク制御チャネル及びこれに対応する物理下りリンク共有チャネルを介してプリアンブルに対する応答メッセージを受信することができる（Ｓ１０４）。競争に基づく任意接続（Ｃｏｎｔｅｎｔｉｏｎ  ｂａｓｅｄ  ｒａｎｄｏｍ  ａｃｃｅｓｓ）の場合、追加の物理任意接続チャネルの送信（Ｓ１０５）及び物理下りリンク制御チャネル及びこれに対応する物理下りリンク共有チャネル受信（Ｓ１０６）のような衝突解決過程（Ｃｏｎｔｅｎｔｉｏｎ  Ｒｅｓｏｌｕｔｉｏｎ  Ｐｒｏｃｅｄｕｒｅ）を行うことができる。
【００２１】
上述したような過程を行った端末は、その後、一般的な上り／下りリンク信号送信過程として物理下りリンク制御チャネル／物理下りリンク共有チャネル受信（Ｓ１０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）送信（Ｓ１０８）を行うことができる。端末が基地局に送信する制御情報を通称して上りリンク制御情報（Ｕｐｌｉｎｋ  Ｃｏｎｔｒｏｌ  Ｉｎｆｏｒｍａｔｉｏｎ、ＵＣＩ）という。ＵＣＩはＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。ＣＳＩはＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは一般的にＰＵＣＣＨを介して送信されるが、制御情報とトラフィックデータが同時に送信されなければならない場合はＰＵＳＣＨを介して送信されることができる。また、ネットワークの要請／指示によってＰＵＳＣＨを介してＵＣＩを非周期的に送信することができる。
【００２２】
図２は無線フレーム（ｒａｄｉｏ  ｆｒａｍｅ）の構造を例示する。上りリンク／下りリンクデータパケット送信はサブフレーム単位でなされ、サブフレームは多数のシンボルを含む時間区間と定義される。３ＧＰＰ  ＬＴＥ標準ではＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２無線フレーム構造を支援する。
【００２３】
図２（ａ）はタイプ１無線フレームの構造を例示する。下りリンク無線フレームは１０個のサブフレームで構成され、一つのサブフレームは時間ドメイン（ｔｉｍｅ  ｄｏｍａｉｎ）で２個のスロット（ｓｌｏｔ）で構成される。一つのサブフレームが送信されるのにかかる時間をＴＴＩ（ｔｒａｎｓｍｉｓｓｉｏｎ  ｔｉｍｅ  ｉｎｔｅｒｖａｌ）と言う。例えば、一つのサブフレームの長さは１ｍｓ、一つのスロットの長さは０．５ｍｓであり得る。一つのスロットは時間領域で複数のＯＦＤＭシンボルを含み、周波数領域で多数のリソースブロック（Ｒｅｓｏｕｒｃｅ  Ｂｌｏｃｋ、ＲＢ）を含む。３ＧＰＰ  ＬＴＥシステムにおいては、下りリンクでＯＦＤＭを使うので、ＯＦＤＭシンボルが一つのシンボル区間を示す。ＯＦＤＭシンボルはまたＳＣ−ＦＤＭＡシンボル又はシンボル区間と呼ぶことができる。リソース割当単位としてのリソースブロック（ＲＢ）は一つのスロットで複数の連続的な副搬送波（ｓｕｂｃａｒｒｉｅｒ）を含むことができる。
【００２４】
スロットに含まれるＯＦＤＭシンボルの数はＣＰ（Ｃｙｃｌｉｃ  Ｐｒｅｆｉｘ）の構成（ｃｏｎｆｉｇｕｒａｔｉｏｎ）によって変わることができる。ＣＰには拡張ＣＰ（ｅｘｔｅｎｄｅｄ  ＣＰ）とノーマルＣＰ（ｎｏｒｍａｌ  ＣＰ）がある。例えば、ＯＦＤＭシンボルがノーマルＣＰによって構成された場合、一つのスロットに含まれるＯＦＤＭシンボルの数は７個であり得る。ＯＦＤＭシンボルが拡張したＣＰによって構成された場合、一つのＯＦＤＭシンボルの長さが増えるので、一つのスロットに含まれるＯＦＤＭシンボルの数はノーマルＣＰの場合より少ない。例えば、拡張ＣＰの場合、一つのスロットに含まれるＯＦＤＭシンボルの数は６個であり得る。端末が高速で移動するなどの場合のようにチャネル状態が不安定な場合、シンボル間の干渉を一層減らすために拡張ＣＰを使うことができる。
【００２５】
ノーマルＣＰが使われる場合、スロットは７個のＯＦＤＭシンボルを含むので、サブフレームは１４個のＯＦＤＭシンボルを含む。サブフレームにおいて初めの最大で３個のＯＦＤＭシンボルはＰＤＣＣＨ（Ｐｈｙｓｉｃａｌ  Ｄｏｗｎｌｉｎｋ  Ｃｏｎｔｒｏｌ  Ｃｈａｎｎｅｌ）に割り当てられ、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられることができる。
【００２６】
図２（ｂ）はタイプ２無線フレームの構造を例示する。タイプ２無線フレームは２個のハーフフレーム（ｈａｌｆ  ｆｒａｍｅ）で構成される。ハーフフレームは４（５）個の一般サブフレームと１（０）個のスペシャルサブフレームを含む。一般サブフレームはＵＬ−ＤＬ構成（Ｕｐｌｉｎｋ−Ｄｏｗｎｌｉｎｋ  Ｃｏｎｆｉｇｕｒａｔｉｏｎ）によって上りリンク又は下りリンクに使われる。サブフレームは２個のスロットで構成される。
【００２７】
表１はＵＬ−ＤＬ構成による無線フレーム内のサブフレーム構成を例示する。
【００２８】
【表１】
2018520591.tif 000003
【００２９】
表で、Ｄは下りリンクサブフレームを、Ｕは上りリンクサブフレームを、Ｓはスペシャル（ｓｐｅｃｉａｌ）サブフレームを示す。スペシャルサブフレームはＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは端末での初期セル探索、同期化又はチャネル推定に使われる。ＵｐＰＴＳは基地局でのチャネル推定と端末の上りリンク送信同期を取るのに使われる。保護区間は上りリンクと下りリンクの間に下りリンク信号の多重経路遅延によって上りリンクで発生する干渉を除去するための区間である。
【００３０】
無線フレームの構造は例示に過ぎなく、無線フレームにおいてサブフレームの数、スロットの数、シンボルの数は多様に変更可能である。
【００３１】
図３は下りリンクスロットのリソースグリッドを例示する。
【００３２】
図３を参照すると、下りリンクスロットは時間ドメインで複数のＯＦＤＭシンボルを含む。ここで、一つの下りリンクスロットは７個のＯＦＤＭシンボルを含み、一つのリソースブロック（ＲＢ）は周波数ドメインで１２個の副搬送波を含むものとして例示された。しかし、本発明がこれに制限されるのではない。リソースグリッド上でそれぞれの要素はリソース要素（Ｒｅｓｏｕｒｃｅ  Ｅｌｅｍｅｎｔ、ＲＥ）と呼ばれる。一つのＲＢは１２×７ＲＥを含む。下りリンクスロットに含まれたＲＢの個数ＮＤＬは下りリンク送信帯域に依存する。上りリンクスロットの構造は下りリンクスロットの構造と同一であっても良い。
【００３３】
図４は下りリンクサブフレームの構造を例示する。
【００３４】
図４を参照すると、サブフレーム内で一番目スロットの前に位置する最大で３（４）個のＯＦＤＭシンボルが制御チャネルの割り当てられる制御領域に相当する。残りのＯＦＤＭシンボルはＰＤＳＣＨ（ｐｈｙｓｉｃａｌ  ｄｏｗｎｌｉｎｋ  ｓｈａｒｅｄ  ｃｈａｎｃｅｌ）が割り当てられるデータ領域に相当し、データ領域の基本リソース単位はＲＢである。ＬＴＥで使われる下りリンク制御チャネルの例はＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）などを含む。ＰＣＦＩＣＨはサブフレームの一番目ＯＦＤＭシンボルで送信され、サブフレーム内で制御チャネルの送信に使われるＯＦＤＭシンボルの個数についての情報を搬送する。ＰＨＩＣＨは上りリンク送信に対する応答であり、ＨＡＲＱ  ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を搬送する。ＰＤＣＣＨを介して送信される制御情報はＤＣＩ（ｄｏｗｎｌｉｎｋ  ｃｏｎｔｒｏｌ  ｉｎｆｏｒｍａｔｉｏｎ）と呼ばれる。ＤＣＩは上りリンク又は下りリンクスケジューリング情報又は任意の端末グループのための上りリンク送信電力制御命令（Ｔｒａｎｓｍｉｔ  Ｐｏｗｅｒ  Ｃｏｎｔｒｏｌ  Ｃｏｍｍａｎｄ）を含む。
【００３５】
ＰＤＣＣＨを介して送信される制御情報をＤＣＩ（Ｄｏｗｎｌｉｎｋ  ｃｏｎｔｒｏｌ  ｉｎｆｏｒｍａｔｉｏｎ）と言う。ＤＣＩフォーマット（ｆｏｒｍａｔ）は上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの個数、各情報フィールドのビット数などが変わる。例えば、ＤＣＩフォーマットは用途によってホッピングフラグ（ｈｏｐｐｉｎｇ  ｆｌａｇ）、ＲＢ割当（ａｓｓｉｇｎｍｅｎｔ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、ＨＡＲＱプロセス番号、ＰＭＩ（ｐｒｅｃｏｄｉｎｇ  ｍａｔｒｉｘ  ｉｎｄｉｃａｔｏｒ）確認（ｃｏｎｆｉｒｍａｔｉｏｎ）などの情報を選択的に含む。よって、ＤＣＩフォーマットによってＤＣＩフォーマットに整合する制御情報のサイズ（ｓｉｚｅ）が変わる。一方、任意のＤＣＩフォーマットは二種以上の制御情報の送信に使われることができる。例えば、ＤＣＩフォーマット０／１ＡはＤＣＩフォーマット０又はＤＣＩフォーマット１を搬送するのに使われ、これらはフラグフィールド（ｆｌａｇ  ｆｉｅｌｄ）によって区分される。
【００３６】
ＰＤＣＣＨはＤＬ−ＳＣＨ（ｄｏｗｎｌｉｎｋ  ｓｈａｒｅｄ  ｃｈａｎｎｅｌ）の送信フォーマット及びリソース割当、ＵＬ−ＳＣＨ（ｕｐｌｉｎｋ  ｓｈａｒｅｄ  ｃｈａｎｎｅｌ）に対するリソース割当情報、ＰＣＨ（ｐａｇｉｎｇ  ｃｈａｎｎｅｌ）に対するページング情報、ＤＬ−ＳＣＨ上のシステム情報（ｓｙｓｔｅｍ  ｉｎｆｏｒｍａｔｉｏｎ）、ＰＤＳＣＨ上で送信されるランダム接続応答のような上位階層制御メッセージのリソース割当情報、任意の端末グループ内で個別端末に対する送信電力制御命令、ＶｏＩＰ（ｖｏｉｃｅ  ｏｖｅｒ  ＩＰ）の活性化（ａｃｔｉｖａｔｉｏｎ）などを搬送する。制御領域内で複数のＰＤＣＣＨが送信されることができる。端末は複数のＰＤＣＣＨをモニタリングすることができる。ＰＤＣＣＨは一つ又は複数の連続したＣＣＥ（ｃｏｎｓｅｃｕｔｉｖｅ  ｃｏｎｔｒｏｌ  ｃｈａｎｎｅｌ  ｅｌｅｍｅｎｔ）のアグリゲーション（ａｇｇｒｅｇａｔｉｏｎ）上で送信される。ＣＣＥは無線チャネルの状態によって所定の符号化率（ｃｏｄｉｎｇ  ｒａｔｅ）のＰＤＣＣＨを提供するために使われる論理的割当単位である。ＣＣＥは複数のＲＥＧ（Ｒｅｓｏｕｒｃｅ  Ｅｌｅｍｅｎｔ  ｇｒｏｕｐ）に対応する。ＰＤＣＣＨのフォーマット及び可用のＰＤＣＣＨのビット数はＣＣＥの個数とＣＣＥによって提供される符号化率の間の相関関係によって決定される。基地局は端末に送信されるＤＣＩによってＰＤＣＣＨフォーマットを決定し、ＣＲＣ（ｃｙｃｌｉｃ  ｒｅｄｕｎｄａｎｃｙ  ｃｈｅｃｋ）を制御情報に付け加える。ＣＲＣはＰＤＣＣＨの所有者又は使用用途によって唯一識別子（ＲＮＴＩ（ｒａｄｉｏ  ｎｅｔｗｏｒｋ  ｔｅｍｐｏｒａｒｙ  ｉｄｅｎｔｉｆｉｅｒ）と呼ばれる）によってマスキングされる。ＰＤＣＣＨが特定の端末のためのものであれば、該当端末の唯一識別子（例えば、Ｃ−ＲＮＴＩ（ｃｅｌｌ−ＲＮＴＩ））がＣＲＣにマスキングされる。他の例として、ＰＤＣＣＨがページングメッセージのためのものであれば、ページング指示識別子（例えば、Ｐ−ＲＮＴＩ（ｐａｇｉｎｇ−ＲＮＴＩ））がＣＲＣにマスキングされる。ＰＤＣＣＨがシステム情報（より具体的に、後述するＳＩＢ（ｓｙｓｔｅｍ  ｉｎｆｏｒｍａｔｉｏｎ  ｂｌｏｃｋ））に関するものであれば、システム情報識別子（例えば、ＳＩ−ＲＮＴＩ（ｓｙｓｔｅｍ  ｉｎｆｏｒｍａｔｉｏｎ  ＲＮＴＩ））がＣＲＣにマスキングされる。端末のランダム接続プリアンブルの送信に対する応答である、ランダム接続応答を指示するために、ＲＡ−ＲＮＴＩ（ｒａｎｄｏｍ  ａｃｃｅｓｓ−ＲＮＴＩ）がＣＲＣにマスキングされる。
【００３７】
図５は上りリンクサブフレームの構造を例示する。
【００３８】
図５を参照すると、サブフレーム５００は二つの０．５ｍｓスロット５０１を含む。ノーマルＣＰが使われる場合、各スロットは７個のシンボル５０２で構成され、一つのシンボルは一つのＳＣ−ＦＤＭＡシンボルに対応する。リソースブロック５０３は周波数領域で１２個の副搬送波、そして時間領域で一スロットに相当するリソース割当単位である。上りリンクサブフレームの構造はデータ領域５０４と制御領域５０５に大別される。データ領域は端末が音声、パケットなどのデータを送信するのに使われる通信リソースを意味し、ＰＵＳＣＨ（Ｐｈｙｓｉｃａｌ  Ｕｐｌｉｎｋ  Ｓｈａｒｅｄ  Ｃｈａｎｎｅｌ）を含む。制御領域は端末が上りリンク制御情報（Ｕｐｌｉｎｋ  Ｃｏｎｔｒｏｌ  Ｉｎｆｏｒｍａｔｉｏｎ、ＵＣＩ）を送信するのに使われる通信リソースを意味し、ＰＵＣＣＨ（Ｐｈｙｓｉｃａｌ  Ｕｐｌｉｎｋ  Ｃｏｎｔｒｏｌ  Ｃｈａｎｎｅｌ）を含む。
【００３９】
ＰＵＣＣＨは次の上りリンク制御情報を送信するのに使われることができる。
【００４０】
−ＳＲ（Ｓｃｈｅｄｕｌｉｎｇ  Ｒｅｑｕｅｓｔ）：アップリンクＵＬ−ＳＣＨリソースを要請するのに使用される情報である。ＯＯＫ（Ｏｎ−Ｏｆｆ  Ｋｅｙｉｎｇ）方式を用いて伝送される。
【００４１】
−ＨＡＲＱ−ＡＣＫ：ＰＤＳＣＨ上のダウンリンクデータパケット（例、コードワード）に対した応答である。ダウンリンクデータパケットが成功的に受信されたか否かを示す。単一ダウンリンクコードワードに対する応答として、ＨＡＲＱ−ＡＣＫ  １ビットが伝送され、二つのダウンリンクコードワードに対する応答として、ＨＡＲＱ−ＡＣＫ  ２ビットが伝送される。ＨＡＲＱ−ＡＣＫ応答は、ポジティブＡＣＫ（簡単に、ＡＣＫ）、ネガティブＡＣＫ（ＮＡＣＫ）、ＤＴＸ又はＮＡＣＫ／ＤＴＸを含む。ここで、ＨＡＲＱ−ＡＣＫは、ＨＡＲＱ  ＡＣＫ／ＮＡＣＫ、ＡＣＫ／ＮＡＣＫと混用される。
【００４２】
−ＣＳＩ（Ｃｈａｎｎｅｌ  Ｓｔａｔｅ  Ｉｎｆｏｒｍａｔｉｏｎ）：ダウンリンクチャネルに関するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。サブフレーム当たり２０ビットが使用される。
【００４３】
端末がサブフレームで伝送することができる制御情報の量は、制御情報の伝送に利用可能なＳＣ−ＦＤＭＡの個数に依存する。制御情報の伝送に利用可能なＳＣ−ＦＤＭＡは、サブフレームにおいて参照信号伝送のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除外される。参照信号は、ＰＵＣＣＨのコヒーレント検出に使用される。ＰＵＣＣＨは、伝送される情報に応じて様々なフォーマットを支援する
【００４４】
表２は、ＬＴＥ（−Ａ）でＰＵＣＣＨフォーマットとＵＣＩとのマッピング関係を示す。
【００４５】
【表２】
2018520591.tif 000004
【００４６】
ＳＲＳはサブフレームにおいて最後のＳＣ−ＦＤＭＡシンボルを介して送信される（５０６）。同じＳＣ−ＦＤＭＡシンボルを介して送信される多くの端末のＳＲＳは周波数位置／シーケンスによって区分可能である。ＳＲＳは非周期的又は周期的に送信される。
【００４７】
以下、図６乃至図１２を参照して、単一キャリア（又はセル）状況でＴＤＤ信号伝送タイミングについて説明する。
【００４８】
図６及び図７は、ＰＤＳＣＨ−ＵＬ  ＡＣＫ／ＮＡＣＫタイミングを示す。ここで、ＵＬ  ＡＣＫ／ＮＡＣＫは、ＤＬデータ（例、ＰＤＳＣＨ）に対する応答であって、アップリンクで伝送されるＡＣＫ／ＮＡＣＫを意味する。
【００４９】
図６を参照すると、端末は、Ｍ個のＤＬサブフレーム（Ｓｕｂｆｒａｍｅ、ＳＦ）上で一つ以上のＰＤＳＣＨ信号を受信することができる（Ｓ５０２＿０〜Ｓ５０２＿Ｍ−１）。それぞれのＰＤＳＣＨ信号は、伝送モードに応じて、一つ又は複数（例、２つ）の伝送ブロック（ＴＢ）を伝送するのに使用される。また、図示してはいないが、ステップＳ５０２＿０〜Ｓ５０２＿Ｍ−１でＳＰＳ解除（Ｓｅｍｉ−Ｐｅｒｓｉｓｔｅｎｔ  Ｓｃｈｅｄｕｌｉｎｇ  ｒｅｌｅａｓｅ）を指示するＰＤＣＣＨ信号も受信され得る。Ｍ個のＤＬサブフレームにＰＤＳＣＨ信号及び／又はＳＰＳ解除ＰＤＣＣＨ信号が存在すると、端末は、ＡＣＫ／ＮＡＣＫを伝送するための過程（例、ＡＣＫ／ＮＡＣＫ（ペイロード）生成、ＡＣＫ／ＮＡＣＫリソース割当など）を経て、Ｍ個のＤＬサブフレームに対応する一つのＵＬサブフレームを通じてＡＣＫ／ＮＡＣＫを伝送する（Ｓ５０４）。ＡＣＫ／ＮＡＣＫは、ステップＳ５０２＿０〜Ｓ５０２＿Ｍ−１のＰＤＳＣＨ信号及び／又はＳＰＳ解除ＰＤＣＣＨ信号に関する受信応答情報を含む。ＡＣＫ／ＮＡＣＫは、基本的にＰＵＣＣＨを介して伝送されるが、ＡＣＫ／ＮＡＣＫ伝送時点にＰＵＳＣＨ伝送がある場合、ＡＣＫ／ＮＡＣＫはＰＵＳＣＨを介して伝送される。ＡＣＫ／ＮＡＣＫ伝送のために、表２の様々なＰＵＣＣＨフォーマットを用いることができる。また、ＰＵＣＣＨフォーマットを通じて伝送されるＡＣＫ／ＮＡＣＫビット数を減らすために、ＡＣＫ／ＮＡＣＫバンドリング（ｂｕｎｄｌｉｎｇ）、ＡＣＫ／ＮＡＣＫチャネル選択（ｃｈａｎｎｅｌ  ｓｅｌｅｃｔｉｏｎ）のような様々な方法を用いることができる。
【００５０】
上述したように、ＴＤＤでは、Ｍ個のＤＬサブフレームで受信したデータに対するＡＣＫ／ＮＡＣＫが、一つのＵＬサブフレームを通じて伝送され（すなわち、Ｍ  ＤＬ  ＳＦ（ｓ）：１  ＵＬ  ＳＦ）、これらの関係は、ＤＡＳＩ（Ｄｏｗｎｌｉｎｋ  Ａｓｓｏｃｉａｔｉｏｎ  Ｓｅｔ  Ｉｎｄｅｘ）によって与えられる。
【００５１】
表３は、ＬＴＥ（−Ａ）に定義されたＤＡＳＩ（Ｋ：｛ｋ０，ｋ１，．．．，ｋＭ−１｝）を示す。表３は、ＡＣＫ／ＮＡＣＫを伝送するＵＬサブフレームの立場で、自身と関連するＤＬサブフレームとの間隔を示す。具体的に、サブフレームｎ−ｋ（ｋ∈Ｋ）にＰＤＳＣＨ伝送及び／又はＳＰＳ解除（Ｓｅｍｉ−Ｐｅｒｓｉｓｔｅｎｔ  Ｓｃｈｅｄｕｌｉｎｇ  ｒｅｌｅａｓｅ）を指示するＰＤＣＣＨがある場合、端末は、サブフレームｎでＡＣＫ／ＮＡＣＫを伝送する
【００５２】
【表３】
2018520591.tif 000005
【００５３】
図７は、ＵＬ−ＤＬ構成＃１が設定された場合のＵＬ  ＡＣＫ／ＮＡＣＫ伝送タイミングを例示する。同図で、ＳＦ＃０〜＃９及びＳＦ＃１０〜＃１９は、それぞれ無線フレームに対応する。同図で、ボックス内の数字は、ＤＬサブフレームの観点で、自身と関連するＵＬサブフレームを示す。例えば、ＳＦ＃５のＰＤＳＣＨに対するＡＣＫ／ＮＡＣＫは、ＳＦ＃５＋７（＝ＳＦ＃１２）で伝送され、ＳＦ＃６のＰＤＳＣＨに対するＡＣＫ／ＮＡＣＫはＳＦ＃６＋６（＝ＳＦ＃１２）で伝送される。したがって、ＳＦ＃５／ＳＦ＃６のダウンリンク信号に対するＡＣＫ／ＮＡＣＫは、全てＳＦ＃１２で伝送される。同様に、ＳＦ＃１４のＰＤＳＣＨに対するＡＣＫ／ＮＡＣＫは、ＳＦ＃１４＋４（＝ＳＦ＃１８）で伝送される。
【００５４】
図８及び図９は、ＰＨＩＣＨ／ＵＬグラント（ＵＬ  ｇｒａｎｔ、ＵＧ）−ＰＵＳＣＨタイミングを示す。ＰＵＳＣＨは、ＰＤＣＣＨ（ＵＬグラント）及び／又はＰＨＩＣＨ（ＮＡＣＫ）に対応して伝送することができる。
【００５５】
図８を参照すると、端末は、ＰＤＣＣＨ（ＵＬグラント）及び／又はＰＨＩＣＨ（ＮＡＣＫ）を受信することができる（Ｓ７０２）。ここで、ＮＡＣＫは、前のＰＵＳＣＨ伝送に対するＡＣＫ／ＮＡＣＫ応答に該当する。この場合、端末は、ＰＵＳＣＨ伝送のための過程（例、ＴＢ符号化、ＴＢ−ＣＷスワッピング、ＰＵＳＣＨリソース割当など）を経て、ｋサブフレームの後にＰＵＳＣＨを介して一つ又は複数の伝送ブロック（ＴＢ）を初期／再伝送することができる（Ｓ７０４）。本例は、ＰＵＳＣＨが一回伝送される普通（ｎｏｒｍａｌ）のＨＡＲＱ動作を仮定する。この場合、ＰＵＳＣＨ伝送に対応するＰＨＩＣＨ／ＵＬグラントは、同一のサブフレームに存在する。ただし、ＰＵＳＣＨが、複数のサブフレームを通じて複数回伝送されるサブフレームバンドリングの場合、ＰＵＳＣＨ伝送に対応するＰＨＩＣＨ／ＵＬグラントは、互いに異なるサブフレームで存在することができる。
【００５６】
表４は、ＬＴＥ（−Ａ）にＰＵＳＣＨ伝送のためのＵＡＩ（Ｕｐｌｉｎｋ  Ａｓｓｏｃｉａｔｉｏｎ  Ｉｎｄｅｘ）（ｋ）を示す。表４は、ＰＨＩＣＨ／ＵＬグラントが検出されたＤＬサブフレームの立場で、自身と関連するＵＬサブフレームとの間隔を示す。具体的に、サブフレームｎでＰＨＩＣＨ／ＵＬグラントが検出されると、端末は、サブフレームｎ＋ｋでＰＵＳＣＨを伝送することができる。
【００５７】
【表４】
2018520591.tif 000006
【００５８】
図９は、ＵＬ−ＤＬ構成＃１が設定された場合のＰＵＳＣＨ伝送タイミングを例示する。同図で、ＳＦ＃０〜＃９及びＳＦ＃１０〜＃１９は、それぞれ無線フレームに対応する。同図で、ボックス内の数字は、ＤＬサブフレームの観点で、自身と関連するＵＬサブフレームを示す。例えば、ＳＦ＃６のＰＨＩＣＨ／ＵＬグラントに対するＰＵＳＣＨはＳＦ＃６＋６（＝ＳＦ＃１２）で伝送され、ＳＦ＃１４のＰＨＩＣＨ／ＵＬグラントに対するＰＵＳＣＨはＳＦ＃１４＋４（＝ＳＦ＃１８）で伝送される。
【００５９】
図１０及び図１１は、ＰＵＳＣＨ−ＰＨＩＣＨ／ＵＬグラントタイミングを示す。ＰＨＩＣＨは、ＤＬ  ＡＣＫ／ＮＡＣＫを伝送するのに使用される。ここで、ＤＬ  ＡＣＫ／ＮＡＣＫは、ＵＬデータ（例、ＰＵＳＣＨ）に対する応答であって、ダウンリンクで伝送されるＡＣＫ／ＮＡＣＫを意味する。
【００６０】
図１０を参照すると、端末は、基地局にＰＵＳＣＨ信号を伝送する（Ｓ９０２）。ここで、ＰＵＳＣＨ信号は、伝送モードに応じて、一つ又は複数（例、二つ）の伝送ブロック（ＴＢ）を伝送するのに使用される。ＰＵＳＣＨ伝送に対する応答として、基地局は、ＡＣＫ／ＮＡＣＫを伝送するための過程（例、ＡＣＫ／ＮＡＣＫ生成、ＡＣＫ／ＮＡＣＫリソース割当など）を経て、ｋサブフレームの後にＰＨＩＣＨを介してＡＣＫ／ＮＡＣＫを端末に伝送することができる（Ｓ９０４）。ＡＣＫ／ＮＡＣＫは、ステップＳ９０２のＰＵＳＣＨ信号に関する受信応答情報を含む。また、ＰＵＳＣＨ伝送に対する応答がＮＡＣＫである場合、基地局は、ｋサブフレームの後にＰＵＳＣＨ再伝送のためのＵＬグラントＰＤＣＣＨを端末に伝送することができる（Ｓ９０４）。本例は、ＰＵＳＣＨが一回伝送される普通のＨＡＲＱ動作を仮定する。この場合、ＰＵＳＣＨ伝送に対応するＰＨＩＣＨ／ＵＬグラントは、同一のサブフレームで伝送され得る。ただし、サブフレームバンドリングの場合、ＰＵＳＣＨ伝送に対応するＰＨＩＣＨ／ＵＬグラントは、互いに異なるサブフレームで伝送され得る。
【００６１】
表５は、ＬＴＥ（−Ａ）にＰＨＩＣＨ／ＵＬグラント伝送のためのＵＡＩ（Ｕｐｌｉｎｋ  Ａｓｓｏｃｉａｔｉｏｎ  Ｉｎｄｅｘ）（ｋ）を示す。表６は、ＰＨＩＣＨ／ＵＬグラントが存在するＤＬサブフレームの立場で、自身と関連するＵＬサブフレームとの間隔を示す。具体的に、サブフレームｉのＰＨＩＣＨ／ＵＬグラントは、サブフレームｉ−ｋのＰＵＳＣＨ伝送に対応する。
【００６２】
【表５】
2018520591.tif 000007
【００６３】
図１１は、ＵＬ−ＤＬ構成＃１が設定された場合のＰＨＩＣＨ／ＵＬグラント伝送タイミングを例示する。同図で、ＳＦ＃０〜＃９及びＳＦ＃１０〜＃１９は、それぞれ無線フレームに対応する。同図で、ボックス内の数字は、ＵＬサブフレームの観点で、自身と関連するＤＬサブフレームを示す。例えば、ＳＦ＃２のＰＵＳＣＨに対するＰＨＩＣＨ／ＵＬグラントは、ＳＦ＃２＋４（＝ＳＦ＃６）で伝送され、ＳＦ＃８のＰＵＳＣＨに対するＰＨＩＣＨ／ＵＬグラントは、ＳＦ＃８＋６（＝ＳＦ＃１４）で伝送される。
【００６４】
次に、ＰＨＩＣＨリソース割当について説明する。サブフレーム＃ｎでＰＵＳＣＨ伝送があると、端末は、サブフレーム＃（ｎ＋ｋＰＨＩＣＨ）で、対応するＰＣＨＩＨリソースを決定する。ＦＤＤにおいてｋＰＨＩＣＨは、固定された値（例、４）を有する。ＴＤＤにおいてｋＰＨＩＣＨは、ＵＬ−ＤＬ構成に応じて異なる値を有する。表６は、ＴＤＤのためのｋＰＨＩＣＨ値を示し、表５と等価である。
【００６５】
【表６】
2018520591.tif 000008
【００６６】
ＰＨＩＣＨリソースは、［ＰＨＩＣＨグループインデックス、直交シーケンスインデックス］によって与えられる。ＰＨＩＣＨグループインデックスと直交シーケンスインデックスは、（i）ＰＵＳＣＨ伝送に用いられる最も小さいＰＲＢインデックスと、（ ii）ＤＭＲＳ（ＤｅＭｏｄｕｌａｔｉｏｎ  Ｒｅｆｅｒｅｎｃｅ  Ｓｉｇｎａｌ）サイクリックシフトのための３−ビットフィールドの値を用いて決定される。（i）（ ii）は、ＵＬグラントＰＤＣＣＨによって指示される。
【００６７】
図１２は上りリンク−下りリンクフレームタイミング関係を例示する。
【００６８】
図１２を参照すると、上りリンク無線フレームｉの送信は該当下りリンク無線フレームより（ＮＴＡ＋ＮＴＡｏｆｆｓｅｔ）＊Ｔｓ超以前に始まる。ＬＴＥシステムの場合、０＝ＮＴＡ≦２０５１２であり、ＦＤＤにおいてＮＴＡｏｆｆｓｅｔ＝０であり、ＴＤＤにおいてＮＴＡｏｆｆｓｅｔ＝６２４である。ＮＴａｏｆｆｓｅｔ値は基地局と端末が前もって認知している値である。ランダム接続過程でタイミングアドバンス（ｔｉｍｉｎｇ  ａｄｖａｎｃｅ）命令によってＮＴＡが指示されれば、端末はＵＬ信号（例えば、ＰＵＣＣＨ／ＰＵＳＣＨ／ＳＲＳ）の送信タイミングを前記式によって調整する。ＵＬ送信タイミングは１６Ｔｓの倍数に設定される。タイミングアドバンス命令は現在ＵＬタイミングを基準にＵＬタイミングの変化を指示する。ランダム接続応答内のタイミングアドバンス命令（ＴＡ）は１１ビットであって、ＴＡは０、１、２、…、１２８２の値を示し、タイミング調整値（ＮＴＡ）はＮＴＡ＝ＴＡ＊１６として与えられる。その以外の場合、タイミングアドバンス命令（ＴＡ）は６ビットであって、ＴＡは０、１、２、…、６３の値を示し、タイミング調整値（ＮＴＡ）はＮＴＡ、ｎｅｗ＝ＮＴＡ、ｏｌｄ＋（ＴＡ−３１）＊１６として与えられる。ＳＦ＃ｎで受信されたタイミングアドバンス命令はＳＦ＃ｎ＋６から適用される。ＦＤＤの場合、図示のように、ＵＬ  ＳＦ＃ｎの送信時点はＤＬ  ＳＦ＃ｎの開始時点を基準に繰り上げられる。一方、ＴＤＤの場合、ＵＬ  ＳＦ＃ｎの送信時点はＤＬ  ＳＦ＃ｎ＋１の終了時点を基準に繰り上げられる（図示せず）。
【００６９】
実施例：ｓｈｏｒｔ  ＤＬ／ＵＬ
【００７０】
ＬＴＥ−Ａ以後の次期システムでは、低遅延（ｌｏｗ  ｌａｔｅｎｃｙ）に基づく制御及びデータ送信を考慮することができる。このために、単一ＤＬ／ＵＬデータ（例えば、ＤＬ／ＵＬ−ＳＣＨ送信ブロック（ｔｒａｎｓｐｏｒｔ  ｂｌｏｃｋ））に対する送受信を行う時間ユニット（例えば、Ｔｒａｎｓｍｉｓｓｉｏｎ  Ｔｉｍｅ  Ｕｎｉｔ、ＴＴＩ）は既存の単一ＳＦ（すなわち、１ｍｓ）より小さくなければならないこともあり得る。例えば、低遅延に基づく制御及びデータ送信のために、ＴＴＩが３個のＯＦＤＭＡ／ＳＣ−ＦＤＭＡシンボル又は一つのスロット区間で構成されなければならないこともあり得る。便宜上、次のように用語を定義する。
【００７１】
−ｓｈｏｒｔ  ＴＵ：単一ＤＬ／ＵＬデータ（例えば、送信ブロック）の送受信が行われる時間ユニット（すなわち、ＴＴＩ）を示す。低遅延送信のために、ｓｈｏｒｔ  ＴＵは既存システム（例えば、ＬＴＥ／ＬＴＥ−Ａ）のＴＴＩ（すなわち、１ＳＦ＝１ｍｓ）より小さく設定される。例えば、ｓｈｏｒｔ  ＴＵは３個のＯＦＤＭＡ／ＳＣ−ＦＤＭＡシンボル又は一つのスロット区間に設定されることができる。便宜上、既存システムのＴＴＩをｎｏｒｍａｌ  ＴＴＩと言い、ｓｈｏｒｔ  ＴＵをｓｈｏｒｔ  ＴＴＩと言う。
【００７２】
−ｓｈｏｒｔ  ＤＬ：一つのｓｈｏｒｔ  ＴＵで構成されるＤＬ区間を示す。
【００７３】
−ｓｈｏｒｔ  ＵＬ：一つのｓｈｏｒｔ  ＴＵで構成されるＵＬ区間を示す。
【００７４】
−ｓｈｏｒｔ  ＴＩ：制御情報とデータ間の（最小）時間間隔／レイテンシーを示す（図６〜１１参照）。一例として、ｓｈｏｒｔ  ＴＩは、（ｉ）ｓｈｏｒｔ  ＤＬを介したＤＬデータ受信時点とｓｈｏｒｔ  ＵＬを介したＨＡＲＱ−ＡＣＫ送信時点間の（最小）時間間隔／レイテンシー（図６参照）、（ｉｉ）ｓｈｏｒｔ  ＤＬを介したＵＬグラント受信時点とｓｈｏｒｔ  ＵＬを介したＵＬデータ送信時点間の（最小）時間間隔／レイテンシーを示すことができる（図８参照）。ｓｈｏｒｔ  ＴＩはｓｈｏｒｔ  ＤＬ／ＵＬとｓｈｏｒｔ  ＵＬ／ＤＬ間の時間間隔で示すことができる。低遅延送信のために、ｓｈｏｒｔ  ＴＩは既存システム（例えば、ＬＴＥ／ＬＴＥ−Ａ）の時間間隔（例えば、４ＳＦｓ＝４ｍｓ）より小さく設定されることができる。一例として、ｓｈｏｒｔ  ＴＩは１個又は２個のＳＦ区間（例えば、１ｍｓ又は２ｍｓ）に設定されることができる。
【００７５】
一方、既存ＴＤＤシステム（例えば、ＬＴＥ／ＬＴＥ−Ａ）ではＳＩＢを介してブロードキャストされるＵＬ−ＤＬ構成（表１参照）に基づいて１ｍｓ単位のＳＦが構成される。既存ＴＤＤシステムにおいてｓｈｏｒｔ  ＴＵを構成するために簡単にはｓｈｏｒｔ  ＤＬはＤＬ  ＳＦ内にのみ挿入し、ｓｈｏｒｔ  ＵＬはＵＬ  ＳＦ内にのみ挿入する方法があり得る。しかし、この方法はｓｈｏｒｔ  ＤＬ／ＵＬがＵＬ−ＤＬ構成に基づくＳＦ構造にのみ依存して構成されるので、複数の同じＳＦ（ＤＬ又はＵＬ）が連続する区間によって制御情報とデータ間（すなわち、ｓｈｏｒｔ  ＤＬ／ＵＬとｓｈｏｒｔ  ＵＬ／ＤＬ間）にｓｈｏｒｔ  ＴＩを支援（確保及び維持）することが易しくないこともあり得る。一例として、ＴＤＤ  ＵＬ−ＤＬ構成＃１の場合、無線フレーム単位でＳＦ構成が［ＤＳＵＵＤＤＳＵＵＤ］に設定されるが、前記方法を適用すれば、ＤＬ  ＳＦとＵＬ  ＳＦのそれぞれが少なくとも２回ずつ連続するので、２ｍｓ未満（例えば、１ｍｓ）のｓｈｏｒｔ  ＴＩを確保することが難しいことがあり得る。ここで、Ｄ、Ｓ、ＵはそれぞれＤＬ  ＳＦ、Ｓ（ｓｐｅｃｉａｌ）  ＳＦ、ＵＬ  ＳＦを意味する（表１参照）。
【００７６】
以下、本発明では、ＴＤＤシステムにおける低遅延に基づく制御及びデータ送信のためのｓｈｏｒｔ  ＴＵ構成方法を提案する。より具体的に、ＵＬ／ＤＬ  ＳＦ構成に基づく既存ＴＤＤシステムにおいて制御情報とデータ間にｓｈｏｒｔ  ＴＩを支援するためのｓｈｏｒｔ  ＤＬ及びｓｈｏｒｔ  ＵＬ構成方法を提示する。一方、ｓｈｏｒｔ  ＤＬを介して受信されたＤＬデータに対するＨＡＲＱ−ＡＣＫ、又はｓｈｏｒｔ  ＤＬを介して検出されたＵＬグラントＤＣＩ／ＰＨＩＣＨに対応するＵＬデータの場合、該当ｓｈｏｒｔ  ＤＬからｓｈｏｒｔ  ＴＩ以後（又はこれから一定時間内）のｓｈｏｒｔ  ＵＬを介して送信されることができる。ｓｈｏｒｔ  ＵＬを介して送信されたＨＡＲＱ−ＡＣＫ（例えば、ＮＡＣＫ）に対応するＤＬデータに対する（再送信）ＤＬグラントＤＣＩ又はｓｈｏｒｔ  ＵＬを介して送信されたＵＬデータに対応するＰＨＩＣＨ／ＵＬグラントＤＣＩの場合、該当ｓｈｏｒｔ  ＵＬからｓｈｏｒｔ  ＴＩ以後（又はこれから一定時間内）のｓｈｏｒｔ  ＤＬを介して送信されることができる。
【００７７】
一方、以下の説明は既存のＳＦ内にｓｈｏｒｔ  ＵＬ／ＤＬを構成する場合を例示しているが、ＳＦは複数のｓｈｏｒｔ  ＴＵを含むことができる時区間の例示に過ぎない。よって、以下で、ＳＦは複数のｓｈｏｒｔ  ＴＵを含む任意の時区間（例えば、スロット、無線フレーム、ＤＬ区間、ＵＬ区間など）として一般化することができる。
【００７８】
（１）ＵＬ  ＳＦ内にｓｈｏｒｔ  ＤＬを構成する方法（Ｍｅｔｈｏｄ  １）
【００７９】
既存の一つのＵＬ  ＳＦ内に一つ又は複数のｓｈｏｒｔ  ＤＬを構成することができる。具体的に、Ｏｐｔ  １）複数のｓｈｏｒｔ  ＤＬが時間軸に一つのＵＬ  ＳＦ全体にわたって構成されるか、Ｏｐｔ  ２）ＵＬ  ＳＦ内（最初及び／又は最後）の一部シンボルを除いた区間にわたって一つ以上のｓｈｏｒｔ  ＤＬが構成されることができる。シンボルはＯＦＤＡＭシンボル又はＳＣ−ＦＤＭＡシンボルを含む。Ｏｐｔ  ２から除かれるシンボル区間の場合、Ａｌｔ  １）ＤＬ／ＵＬ間のスイッチングのためのギャップとして使用／設定されるか、Ａｌｔ  ２）元のＵＬ  ＳＦに設定されたあるいはｓｈｏｒｔ  ＴＵ動作端末に別に設定された特定のＵＬ信号（例えば、ＳＲＳなど）の送信が行われることができる。前記方法は一つのＵＬ  ＳＦ内に一つ又は複数のｓｈｏｒｔ  ＵＬを構成するときにも同様に適用可能である。
【００８０】
一方、ｓｈｏｒｔ  ＤＬが構成されるかあるいは構成可能なＵＬ  ＳＦ情報が端末に設定されることができ、端末は特定の状況に該当ＵＬ  ＳＦでｓｈｏｒｔ  ＤＬに対するＤＬ信号／チャネル検出及び受信動作（例えば、ｓｈｏｒｔ  ＤＬ／ＵＬをスケジュールするＤＬ／ＵＬグラントＤＣＩ検出、ｓｈｏｒｔ  ＤＬにスケジュールされたＤＬデータ受信など）を行うことができる。一例として、端末は、特定のＵＬ  ＳＦ（及び／又は該当ＵＬ  ＳＦの直後に隣接したＵＬ  ＳＦ）にＵＬ信号／チャネルに対するスケジューリング／設定がない場合、該当ＵＬ  ＳＦでｓｈｏｒｔ  ＤＬに対してＤＬ（例えば、ＤＬ／ＵＬグラントＤＣＩなど）検出／受信を試みることができる。他の例として、特定のｓｈｏｒｔ  ＵＬを介してＨＡＲＱ−ＡＣＫ又はＵＬデータ送信を行った場合、端末は該当ｓｈｏｒｔ  ＵＬからｓｈｏｒｔ  ＴＩ以後の時点（又はこれから一定時間内）にあるＵＬ  ＳＦでｓｈｏｒｔ  ＤＬに対してＤＬ（例えば、ＤＬ／ＵＬデータ（再）送信をスケジュールするＤＬ／ＵＬグラントＤＣＩ、ＰＨＩＣＨなど）検出／受信を試みることができる。
【００８１】
（２）ＤＬ  ＳＦ内にｓｈｏｒｔ  ＵＬを構成する方法（Ｍｅｔｈｏｄ  ２）
【００８２】
既存の一つのＤＬ  ＳＦ内に一つ又は複数のｓｈｏｒｔ  ＵＬを構成することができる。具体的に、ＤＬ  ＳＦを（ｆａｋｅ）ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）ＳＦに設定した状態で、該当ＤＬ  ＳＦ内の最初の一部シンボル（又は最初の一部シンボルと最後の一部シンボル）を除いた残りの区間に一つ以上のｓｈｏｒｔ  ＵＬが構成されることができる。ＭＢＳＦＮ  ＳＦはノンＭＢＳＦＮ領域とＭＢＳＦＮ領域に分けられる。ノンＭＢＳＦＮ領域はＭＢＳＦＮ  ＳＦで最初１〜２個のＯＦＤＭＡシンボルで構成され、ＭＢＳＦＮ領域はＭＢＳＦＮ  ＳＦでノンＭＢＳＦＮ領域に使われないＯＦＤＭＡシンボルで構成される。既存の端末はＭＢＦＳＮ  ＳＦでノンＭＢＳＦＮ領域のみを読むので、ＭＢＳＦＮ領域にｓｈｏｒｔ  ＵＬを構成することによって既存の端末に影響を与えないことができる。すなわち、ＭＢＳＦＮサービスではないｓｈｏｒｔ  ＵＬを構成する目的で特定のＤＬ  ＳＦをＭＢＳＦＮ  ＳＦに設定することができる（ｆａｋｅ  ＭＢＳＦＮ  ＳＦ）。ＭＢＳＦＮ  ＳＦはビットマップを用いて指示され、周期的に繰り返される。ＤＬ  ＳＦでｓｈｏｒｔ  ＵＬ構成時に除かれる最初の一部シンボルは既存のＴＴＩでのみ動作する端末（及び／又はｓｈｏｒｔ  ＴＵ動作が設定された端末）に対する制御送信（例えば、ＰＤＣＣＨ、ＰＨＩＣＨなど）及びＤＬ／ＵＬスイッチングギャップの用途に使用／設定されることができる。一方、ＤＬ  ＳＦにおいてｓｈｏｒｔ  ＵＬの構成時に除かれる最後の一部シンボルにはＭｅｔｈｏｄ  １のＡｌｔ  １／２が適用可能である。前記方法は一つのＤＬ  ＳＦ内に一つ又は複数のｓｈｏｒｔ  ＤＬを構成する時にも同様に適用可能である。
【００８３】
一方、ｓｈｏｒｔ  ＵＬが構成されるあるいは構成可能な（ＭＢＳＦＮ  ＳＦに設定された）ＤＬ  ＳＦ情報が端末に設定されることができ、端末は特定の状況に該当ＤＬ  ＳＦ内のｓｈｏｒｔ  ＵＬを介してＵＬ信号／チャネル送信動作（例えば、ｓｈｏｒｔ  ＤＬでのＤＬデータ受信に対するＨＡＲＱ−ＡＣＫ送信、ｓｈｏｒｔ  ＤＬからスケジュールされたＵＬデータ送信など）を行うことができる。一例として、特定のｓｈｏｒｔ  ＤＬを介してＤＬデータ又はＵＬグラントＤＣＩ（及び／又はＰＨＩＣＨ）を受信した場合、端末は該当ｓｈｏｒｔ  ＤＬからｓｈｏｒｔ  ＴＩ以後（又はこれから一定時間内）にあるＭＢＳＦＮが設定されたＤＬ  ＳＦ内のｓｈｏｒｔ  ＵＬを介してＵＬ（例えば、ＤＬデータ受信に対するＨＡＲＱ−ＡＣＫ、ＵＬグラントＤＣＩ／ＰＨＩＣＨに対応するＵＬデータなど）送信を行うことができる。
【００８４】
（３）Ｓ  ＳＦ内にｓｈｏｒｔ  ＤＬを構成する方法（Ｍｅｔｈｏｄ  ３）
【００８５】
既存の一つのＳ  ＳＦ内に一つ又は複数のｓｈｏｒｔ  ＤＬを構成することができる。具体的に、Ｓ  ＳＦ内（最初及び／又は最後）の一部シンボルを除いた残りの区間に一つ以上のｓｈｏｒｔ  ＤＬが構成されることができる。Ｓ  ＳＦにおいてｓｈｏｒｔ  ＤＬの構成時に除かれる最初の一部シンボルは既存のＴＴＩ動作端末（及び／又はｓｈｏｒｔ  ＴＵ動作端末）に対する制御送信（例えば、ＰＤＣＣＨ、ＰＨＩＣＨなど）の用途に使用／設定されることができる。一方、Ｓ  ＳＦにおいてｓｈｏｒｔ  ＤＬの構成時に除かれる最後の一部シンボルにはＭｅｔｈｏｄ  １のＡｌｔ  １／２が適用可能である。特定のｓｈｏｒｔ  ＤＬの場合、これを構成する全部又は一部のシンボルが元のＳ  ＳＦに設定されたＤｗＰＴＳ区間外にあるか、ＵｐＰＴＳ区間と重なる形態に構成されることができる。
【００８６】
ｓｈｏｒｔ  ＤＬが構成されるあるいは構成可能なＳ  ＳＦ情報が端末に設定されることができ、端末は特定の状況に該当Ｓ  ＳＦでｓｈｏｒｔ  ＤＬに対するＤＬ信号／チャネル検出及び受信動作（例えば、ｓｈｏｒｔ  ＤＬ／ＵＬをスケジュールするＤＬ／ＵＬグラントＤＣＩ検出、ｓｈｏｒｔ  ＤＬにスケジュールされたＤＬデータ受信など）を行うことができる。一例として、端末は特定のＳ  ＳＦ（及び／又は該当ＳＦの直後に隣接したＵＬ  ＳＦ）にＵＬ信号／チャネルに対するスケジューリング／設定がない場合、該当Ｓ  ＳＦでｓｈｏｒｔ  ＤＬに対してＤＬ（例えば、ＤＬ／ＵＬグラントＤＣＩなど）検出／受信を試みることができる。他の例として、特定のｓｈｏｒｔ  ＵＬを介してＨＡＲＱ−ＡＣＫ又はＵＬデータ送信を行った場合、端末は該当ｓｈｏｒｔ  ＵＬからｓｈｏｒｔ  ＴＩ以後の時点（又はこれから一定時間内）にあるＳ  ＳＦでｓｈｏｒｔ  ＤＬに対してＤＬ（例えば、ＤＬ／ＵＬデータ（再）送信スケジュールするＤＬ／ＵＬグラントＤＣＩ、ＰＨＩＣＨなど）検出／受信を試みることができる。
【００８７】
（４）Ｓ  ＳＦ内にｓｈｏｒｔ  ＵＬを構成する方法（Ｍｅｔｈｏｄ  ４）
【００８８】
既存の一つのＳ  ＳＦ内に一つ又は複数のｓｈｏｒｔ  ＵＬを構成することができる。具体的に、Ｓ  ＳＦ内の最初の一部シンボル（又は最初の一部シンボルと最後の一部シンボル）を除いた残りの区間に一つ以上のｓｈｏｒｔ  ＵＬが構成されることができる。Ｓ  ＳＦにおいてｓｈｏｒｔ  ＵＬの構成時に除かれる最初の一部シンボルは、既存のＴＴＩ動作端末（及び／又はｓｈｏｒｔ  ＴＵ動作端末）に対する制御情報送信（例えば、ＰＤＣＣＨ、ＰＨＩＣＨなど）及びＤＬ／ＵＬスイッチングギャップの用途に使用／設定されることができる。一方、Ｓ  ＳＦにおいてｓｈｏｒｔ  ＵＬの構成時に除かれる最後の一部シンボルにはＭｅｔｈｏｄ  １のＡｌｔ  １／２が適用可能である。また、Ｓ  ＳＦ内のｓｈｏｒｔ  ＵＬの構成のためにＳ  ＳＦ構成は好ましくはＤｗＰＴＳ区間が最も小さなものに設定されることができる（例えば、３個のシンボル区間）。また、特定のｓｈｏｒｔ  ＵＬの場合には、これを構成する全部又は一部のシンボルが元のＳ  ＳＦに設定されたＵｐＰＴＳ区間外にあるか、ＤｗＰＴＳ区間と重なる形態に構成されることができる。
【００８９】
表７はＳ  ＳＦ構成によるＤｗＰＴＳ／ＧＰ／ＵｐＰＴＳの長さを示す。Ｓ  ＳＦ構成＃０、＃５で、ＤｗＰＴＳは３個のシンボルで構成され、その以外のＳ  ＳＦ構成でＤｗＰＴＳは３個より多いシンボルで構成される。
【００９０】
【表７】
2018520591.tif 000009
【００９１】
一方、ｓｈｏｒｔ  ＵＬが構成されるあるいは構成可能なＳ  ＳＦ情報が端末に設定されることができ、端末は特定の状況に該当Ｓ  ＳＦ内のｓｈｏｒｔ  ＵＬを介してＵＬ信号／チャネル送信動作（例えば、ｓｈｏｒｔ  ＤＬでのＤＬデータ受信に対するＨＡＲＱ−ＡＣＫ送信、ｓｈｏｒｔ  ＤＬからスケジュールされたＵＬデータ送信など）を行うことができる。一例として、特定のｓｈｏｒｔ  ＤＬを介してＤＬデータ又はＵＬグラントＤＣＩ（及び／又はＰＨＩＣＨ）を受信した場合、端末は該当ｓｈｏｒｔ  ＤＬからｓｈｏｒｔ  ＴＩ以後（又はこれから一定時間内）にあるＳ  ＳＦ内のｓｈｏｒｔ  ＵＬを介してＵＬ（例えば、ＤＬデータ受信に対するＨＡＲＱ−ＡＣＫ、ＵＬグラントＤＣＩ／ＰＨＩＣＨに対応するＵＬデータなどの）送信を行うことができる。
【００９２】
図１３は本発明の一実施例によるｓｈｏｒｔ  ＵＬ／ＤＬ構成を例示する。図１３はＵＬ−ＤＬ構成＃１に基づくＳＦ構成を有するＴＤＤシステムにおいてｓｈｏｒｔ  ＤＬ／ＵＬ構成方法を適用した場合を例示する。図面では、４個のｓｈｏｒｔ  ＴＵ区間が一つのＳＦ区間と同一であると仮定し（例えば、０．２５ｍｓ）、ｓｈｏｒｔ  ＴＩは１ｍｓ（又は一つのＳＦ又は４個のｓｈｏｒｔ  ＴＵ区間）であると仮定した。図面から見られるように、ＳＦ＃１のＳに対してはＭｅｔｈｏｄ  ３に基づくｓｈｏｒｔ  ＤＬ構成方式が、ＳＦ＃３のＵに対してはＭｅｔｈｏｄ  １に基づくｓｈｏｒｔ  ＤＬ構成方式が、ＳＦ＃４のＤに対してはＭｅｔｈｏｄ  ２に基づくｓｈｏｒｔ  ＵＬ構成方式が、ＳＦ＃６のＳに対してはＭｅｔｈｏｄ  ４に基づくｓｈｏｒｔ  ＵＬ構成方式がそれぞれ適用可能である。説明のために、図面はＭｅｔｈｏｄ１〜４が全部組み合わせられた場合を示す。しかし、これは例示であるだけ、Ｍｅｔｈｏｄ  １〜４は単独で使われるか任意の組合せで使われることができる。また、図面で、ｓｈｏｒｔ  ＴＵ番号上で｛ｄ０、ｕ０、ｄ２、ｕ２、ｄ４、ｕ４、ｄ６、ｕ６、ｄ８｝はｓｈｏｒｔ  ＴＩ間隔で対応する一つのｓｈｏｒｔ  ＤＬ／ＵＬアグリゲーションとして考慮され、｛ｄ１、ｕ１、ｄ３、ｕ３、ｄ５、ｕ５、ｄ７、ｕ７、ｄ９｝はｓｈｏｒｔ  ＴＩ間隔で対応するもう一つのｓｈｏｒｔ  ＤＬ／ＵＬアグリゲーションとして考慮されることができる。図面で、ｃｈａｎｇｅａｂｌｅ／ｕｎｃｈａｎｇｅａｂｌｅはｓｈｏｒｔ  ＵＬ構成が可能であるか否かを示す。
【００９３】
一方、本発明のｓｈｏｒｔ  ＤＬ／ＵＬは全体システムＢＷ（ｂａｎｄｗｉｄｔｈ）にわたって構成されるか、システムＢＷより小さな特定の周波数（例えば、ＲＢ）領域にのみ構成されることができる。
【００９４】
図１４は本発明の実施例による信号処理過程を例示する。
【００９５】
図１４を参照すると、端末はＴＤＤ  ＵＬ−ＤＬ構成を指示するシステム情報を受信することができる（Ｓ１４０２）。ＴＤＤ  ＵＬ−ＤＬ構成は無線フレームのＳＦ構成を示す（表１参照）。ＣＡ（Ｃａｒｒｉｅｒ  Ａｇｇｒｅｇａｔｉｏｎ）に基づいて複数のセルが端末にアグリゲーションされた場合には、各セル別にＴＤＤ  ＵＬ−ＤＬ構成を指示し得る。その後、端末はＳＦ＃ｎのＴＴＩ構成を確認することができ（Ｓ１４０４）、ＳＦ＃ｎのＴＴＩ構成はｎｏｒｍａｌ  ＴＴＩ又はｓｈｏｒｔ  ＴＴＩであり得る。ｎｏｒｍａｌ  ＴＴＩは既存のシステム（例えば、ＬＴＥ／ＬＴＥ−Ａ）のＴＴＩであり、一つのＳＦ区間（すなわち、１ｍｓ）の長さを有する。一方、ｓｈｏｒｔ  ＴＴＩは既存のシステム（例えば、ＬＴＥ／ＬＴＥ−Ａ）のＴＴＩより小さく設定され、例えばＴＵは３個のＯＦＤＭＡ／ＳＣ−ＦＤＭＡシンボル又は一つのスロット区間（すなわち、０．５ｍｓ）に設定されることができる。ＳＦ＃ｎのＴＴＩ構成がｎｏｒｍａｌ  ＴＴＩの場合、端末はＳＦ＃ｎが一つのＴＴＩで構成されたという仮定の下で信号処理過程を行うことができる（Ｓ１４０６ａ）。この場合、ＳＦ単位でＤＬ／ＵＬデータの送受信が行われることができる。一方、ＳＦ＃ｎのＴＴＩ構成がｓｈｏｒｔ  ＴＴＩの場合、端末はＳＦ＃ｎがマルチＴＴＩで構成されたという仮定の下で信号処理過程を行うことができる（Ｓ１４０６ｂ）。ここで、信号処理過程は図１の多様な物理チャネルを介して信号を送受信するための信号処理過程を含む。例えば、（ｉ）ＤＬグラントを受信し、それに対応するＤＬデータを受信するための信号処理過程、（ｉｉ）ＤＬデータを受信し、それに対するＨＡＲＱ−ＡＣＫを送信するための信号処理過程、（ｉｉｉ）ＵＬグラント／ＰＨＩＣＨを受信し、それに対するＵＬデータを送信するための信号処理過程などを含む。ここで、ＳＦより小さな単位でＤＬ／ＵＬデータの送受信が行われることができる。ＳＦ＃ｎで、ｓｈｏｒｔ  ＴＴＩの構成及びこれに関するシグナリング方案はＭｅｔｈｏｄ  １〜４の方法に従うことができる。例えば、ＳＦ＃ｎでｓｈｏｒｔ  ＴＴＩの構成は図１３のように構成されることができる。
【００９６】
（５）ｓｈｏｒｔ  ＤＬ／ＵＬ構成によるセル間干渉制御方案
【００９７】
既存のＴＤＤシステムに設定されたＵＬ／ＤＬ  ＳＦにｓｈｏｒｔ  ＤＬ／ＵＬを構成する場合、隣接セルへのあるいは隣接セルからの干渉影響を考慮することが好ましいことがある。一例として、隣接セル間にｓｈｏｒｔ  ＤＬ／ＵＬ設定可否及び関連情報が交換／共有されないか、ＳＦ別にｓｈｏｒｔ  ＤＬ／ＵＬの構成パターンが実時間でタイトに共有されない場合、ｓｈｏｒｔ  ＤＬ／ＵＬと（ｓｈｏｒｔ  ＤＬ／ＵＬが構成されなかった）一般ＵＬ／ＤＬ  ＳＦ間の干渉によってシステム全体に大きな性能低下をもたらすことがあり得る。
【００９８】
このために、ｓｈｏｒｔ  ＤＬ／ＵＬ設定可否及びｓｈｏｒｔ  ＤＬ／ＵＬで構成可能な（候補）ＳＦ（及び／又はｓｈｏｒｔ  ＤＬ／ＵＬで構成可能な（候補）周波数（例えば、ＲＢ）領域）情報などをセル間にシグナリングによって交換することができる。また、全体又は特定（例えば、ＤＬ（又はＳ）ＳＦ内に構成される）のｓｈｏｒｔ  ＵＬに対しては一般のＵＬ  ＳＦとは別個の独立的なＵＬ  ＰＣ（Ｐｏｗｅｒ  Ｃｏｎｔｒｏｌ）プロセスが行われることができ、ＵＬ  ＴＡ（ｔｉｍｉｎｇ  ａｄｖａｎｃｅ）も該当ｓｈｏｒｔ  ＵＬに対してのみ独立的に設定／制御されることができる。詳細に、（一般のＵＬ  ＳＦとは別個に）ｓｈｏｒｔ  ＵＬでのＰＵＳＣＨ及びＰＵＣＣＨ送信に適用される開ループＰＣパラメータ（例えば、ＰＯ＿ＰＵＳＣＨ、ａｌｐｈａ、ＰＯ＿ＰＵＣＣＨ関連パラメータなど）が独立的に設定されることができる。また、ＴＰＣコマンドも（一般のＵＬ  ＳＦから分離されて）ｓｈｏｒｔ  ＵＬに対してのみ独立的に累積（ａｃｃｕｍｕｌａｔｉｏｎ）することができる。また、ＵＬ  ＰＣプロセス（例えば、開ループＰＣパラメータ設定、ＴＰＣコマンド適用など）はｓｈｏｒｔ  ＵＬと一般のＵＬ  ＳＦに共通して行い、ｓｈｏｒｔ  ＵＬにおけるＵＬ送信電力に対しては特定のパワーオフセットを追加／適用する方法も可能である。
【００９９】
また、特定（例えば、ｓｈｏｒｔ  ＤＬを含むことができる）のＵＬ（又はＳ）ＳＦに対しても他の（例えば、ｓｈｏｒｔ  ＤＬを含まない）ＵＬ  ＳＦとは別個の独立的なＵＬ  ＰＣプロセスが行われることができる。また、前記特定のＵＬ（又はＳ）ＳＦにおけるＵＬ送信に対しても（他の一般のＵＬ  ＳＦとは別個に）独立的な開ループＰＣパラメータ設定及びＴＰＣコマンド累積動作が行われることができる。また、ＵＬ  ＰＣプロセスは全てのＵＬ  ＳＦに共通して行い、前記特定のＵＬ（又はＳ）ＳＦにおけるＵＬ送信電力に対しては特定のパワーオフセットを追加／適用することができる。
【０１００】
本発明の提案方法の適用はＴＤＤシステムにのみ限定されず、任意のＤＬ  ＳＦ内にｓｈｏｒｔ  ＵＬを構成／設定するか及び／又は任意のＵＬ  ＳＦ内にｓｈｏｒｔ  ＤＬを構成／設定する場合にも一般的に拡張適用可能である。一例として、ＦＤＤシステムの環境で前記提案方法の適用によってＤＬキャリア上の特定のＤＬ  ＳＦ内にｓｈｏｒｔ  ＵＬを構成／設定するか及び／又はＵＬキャリア上の特定のＵＬ  ＳＦ内にｓｈｏｒｔ  ＤＬを構成／設定する方案などを考慮することができる。
【０１０１】
図１５は本発明に適用可能な基地局、リレー及び端末を例示する。
【０１０２】
図１５０を参照すると、無線通信システムは、基地局（ＢＳ）１１０及び端末（ＵＥ）１２０を含む。無線通信システムがリレーを含む場合、基地局又は端末はリレーに取り替えられることができる。
【０１０３】
基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は、本発明で提案した過程及び／又は方法を具現するように構成することができる。メモリ１１４は、プロセッサ１１２に接続され、プロセッサ１１２の動作に関連する様々な情報を格納する。ＲＦユニット１１６は、プロセッサ１１２に接続され、無線信号を送信及び／又は受信する。端末１２０は、プロセッサ１２２、メモリ１２４及びＲＦユニット１２６を含む。プロセッサ１２２は、本発明で提案した過程及び／又は方法を具現するように構成することができる。メモリ１２４は、プロセッサ１２２に接続され、プロセッサ１２２の動作に関連する様々な情報を格納する。ＲＦユニット１２６は、プロセッサ１２２に接続され、無線信号を送信及び／又は受信する。
【０１０４】
以上で説明された各実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明される動作の順序は変更可能である。ある実施例の一部構成や特徴は、他の実施例に含まれることができ、又は、他の実施例に対応する構成又は特徴に取って代わることもできる。特許請求の範囲において明示的な引用関係のない請求項を結合して実施例を構成したり、出願後の補正により新しい請求項として含めることができるということは自明である。
【０１０５】
本文書で、本発明の各実施例は主に端末と基地局間のデータ送受信関係を中心に説明された。本文書で基地局によって行われると説明された特定動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅｓ）からなるネットワークで端末との通信のために行う多様な動作は、基地局又は基地局以外の他のネットワークノードによって行えることは自明である。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。  
【０１０６】
本発明に係る実施例は、様々な手段、例えば、ハードウェア、ファームウエア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１０７】
ファームウエアやソフトウェアによる具現の場合、本発明の一実施例は、以上で説明された機能又は動作を行うモジュール、過程、関数などの形態で具現することができる。ソフトウェアコードは、メモリユニットに格納されて、プロセッサによって駆動可能である。メモリユニットは、プロセッサの内部又は外部に位置し、既に公示となった多様な手段によりプロセッサとデータを交換することができる。
【０１０８】
本発明は、本発明の特徴を逸脱しない範囲で他の特定の形態に具体化できることは、当業者にとって自明である。したがって、上記の詳細な説明は、全ての面において制限的に解釈されてはならず、例示的なものとして考慮しなければならない。本発明の範囲は、添付の請求項の合理的な解釈によって決定しなければならず、本発明の等価的範囲内での全ての変更は本発明の範囲に含まれる。
【産業上の利用可能性】
【０１０９】
本発明は無線移動通信システムの端末機、基地局、又はその他の装備に使われることができる。具体的に、本発明は、上りリンク制御情報を送信する方法及びそのための装置に適用可能である。
【図１】
2018520591.tif 000010
【図２】
2018520591.tif 000011
【図３】
2018520591.tif 000012
【図４】
2018520591.tif 000013
【図５】
2018520591.tif 000014
【図６】
2018520591.tif 000015
【図７】
2018520591.tif 000016
【図８】
2018520591.tif 000017
【図９】
2018520591.tif 000018
【図１０】
2018520591.tif 000019
【図１１】
2018520591.tif 000020
【図１２】
2018520591.tif 000021
【図１３】
2018520591.tif 000022
【図１４】
2018520591.tif 000023
【図１５】
2018520591.tif 000024
【国際調査報告】
2018520591.tif 000025
2018520591.tif 000026
2018520591.tif 000027
2018520591.tif 000028